(57)【特許請求の範囲】
【請求項１】
取付ボルトで固定される器具本体構成部品と、
前記器具本体構成部品に保持される蛍光ランプと、
前記器具本体構成部品内に配策される電線と、
を備える照明器具において、
前記取付ボルトの近傍に配置されて前記電線を保持するための長尺の線処理部材を備え、前記線処理部材は、前記電線の内側への挿入を容易にするための挿入部を有し、前記挿入部は内側へ挿入された前記電線を抜け止めるために、その開口部を前記電線の外径よりも小さく形成し、
かつ、前記線処理部材は、固定側の面にツメを設けており、前記ツメは前記器具本体構成部品に有する取付穴に取り付けられることを特徴とする照明器具。
【請求項２】
前記線処理部材の挿入部は、曲面形状に形成されていることを特徴とする請求項１に記載した照明器具。
【請求項３】
前記線処理部材の挿入部は、内側へ挿入された前記電線が当接する抜け止め部を有することを特徴とする請求項１または２に記載した照明器具。
【請求項４】
前記線処理部材は、前記固定側の面に突起を設けており、前記突起の高さは前記ツメの掛り止まりよりも突出させていることを特徴とする請求項１に記載した照明器具。
【請求項５】
前記線処理部材は、透明部材により成形されていることを特徴とする請求項１〜４のいずれかに記載した照明器具。
【発明の詳細な説明】
【技術分野】
【０００１】
本発明は、例えば住宅や工場等の天井面に取り付けられる照明器具に関し、特に器具本体内に配策される電線を保持可能な照明器具に関する。
【背景技術】
【０００２】
従来の照明器具の一例として、筒状をなし周壁の軸方向にスリットを有して内部に電線を収容するようにした線処理部材を適用したものがある（例えば、特許文献１参照）。
【０００３】
従来の照明器具の他の一例として、角棒や丸棒を円形や多角形に加工して電線を支持する支持部材を連結用部材で連結した線処理部材を適用したものがある（例えば、特許文献２参照）。
【先行技術文献】
【特許文献】
【０００４】
【特許文献１】特開２００１−１３６６３３号公報（図１、請求項１）
【特許文献２】特開２００２−２６０４３３号公報（図１、請求項１）
【発明の概要】
【発明が解決しようとする課題】
【０００５】
通常、図１２に示すように、照明器具１００では、器具本体１０１に端子台１０２が取り付けられており、器具本体１０１の端部のソケット台１０３にソケット１０４が固定されている。
【０００６】
そして、端子台１０２に一端部を接続した電線１０５が器具本体１０１に形成されている取付けボルト穴１０６の近辺を引き回される。
【０００７】
図１３に示すように、電線１０５の他端部は、ソケット台１０３に取り付けられているソケット１０４を避けて引き回されてからソケット１０４に接続される。
【０００８】
電線１０５は、全体に筒形状のチューブ１０７を被せることにより、万が一に、線カミが発生してもチューブ１０７が保護の役目を果たして電線１０５を損傷しないようにしている。
【０００９】
しかし、施工時に取付けボルト穴１０６を介したボルトやナットの締め付けの際における線カミを防止するために、取付けボルト穴１０６の周囲全体において電線１０５の保護を行う必要があるため、チューブ１０７自体を長尺のものにする必要がある。
従って、長尺の電線１０５を、同じく長尺のチューブ１０７に通す作業が煩雑であって作業性が悪いばかりか、長尺のチューブ１０７を作成するための材料費を多く必要とし、収納をし難い、等の要因により生産性の向上を図ることが難しい。
【００１０】
一方、上記特許文献１および特許文献２は上述した課題を解決するために提案された。
【００１１】
しかし、上記特許文献１に開示された従来の照明器具では、閉塞された周壁を有する。
従って、自重が重くなる虞があり、軽量化が望まれる照明器具に適用することが難しい。
【００１２】
上記特許文献２に開示された従来の照明器具では、ステンレスやアルミニウムを素材として成形している。
従って、上記特許文献１と同様にして、自重が重くなる虞があり、軽量化が望まれる照明器具に適用することが難しい。
【００１３】
加えて、上記特許文献１および特許文献２に開示された従来の照明器具では、内側に収容した電線を抜け止める手段を有さない。
従って、収容した電線が抜け出す虞がある。
【００１４】
本発明は、前述した課題を解決するためになされたものであり、その目的は、線カミを防止することができるとともに軽量にすることができ、電線の抜け出しを防止することができる照明器具を提供することにある。
【課題を解決するための手段】
【００１５】
本発明に係る照明器具は、取付ボルトで固定される器具本体構成部品と、前記器具本体構成部品に保持される蛍光ランプと、前記器具本体構成部品内に配策される電線と、を備える照明器具において、前記取付ボルトの近傍に配置されて前記電線を保持するための長尺の線処理部材を備え、前記線処理部材は、前記電線の内側への挿入を容易にするための挿入部を有し、前記挿入部は内側へ挿入された前記電線を抜け止めるために、その開口部を前記電線の外径よりも小さく形成し、かつ、前記線処理部材は、固定側の面にツメを設けており、前記ツメは前記器具本体構成部品に有する取付穴に取り付けられることを特徴とする。
【００１６】
本発明において、電線を挿入保持する長尺の線処理部材は、取付ボルトの近傍に配置される。
これにより、電線を取付ボルト穴の近辺を引き回したとしても、電線を取付ボルトやナットに接触させることがない。
従って、線カミを防止することができる。
【００１７】
本発明において、長尺の線処理部材は、例えば樹脂材料等を用いて作成されて、挿入部を通じて電線を内側に挿入保持する。このとき、挿入部の開口部は電線の外径よりも小さく形成されている。
これにより、線処理部材は電線を内側に容易に挿入して、挿入した電線の抜け止めを図る。
従って、軽量にすることができるとともに電線の抜け出しを防止することができる。
また、本発明において、線処理部材は、固定側の面のツメを器具本体構成部品である本体部材に有する取付穴に係止することにより本体部材に固定される。
これにより、線処理部材は、取付ネジ等の取付手段を用いることなく取付けが行われる。
従って、線処理部材を、取付手段を有する簡単な構造にすることができる。
【００１８】
本発明に係る照明器具は、上記照明器具において、前記線処理部材の挿入部は、曲面形状に形成されていることを特徴とする。
【００１９】
本発明において、電線は挿入部の曲面形状部分に摺接しながら内側に挿入される。
これにより、挿入部が単純な直線形状になっているものと比較してスムースに挿入部へ誘導される。
従って、電線の挿入部への挿入性を向上させることができる。
【００２０】
本発明に係る照明器具は、上記照明器具において、前記線処理部材の挿入部は、内側へ挿入された前記電線が当接する抜け止め部を有することを特徴とする。
【００２１】
本発明において、万が一に、線処理部材の内側へ挿入されている電線に挿入部へ向けて力が生じた場合、電線は挿入部へ向けて変位する。
これにより、挿入へ向けて変位した電線は抜け止め部に当接する。
従って、抜け止め部に当接することにより、電線は挿入部から抜け出すことがなく、電線を内側に確実に保持することができる。
【００２４】
本発明に係る照明器具は、上記照明器具において、前記線処理部材は、固定側の面に突起を設けており、前記突起の高さは前記ツメの掛り止まりよりも突出させていることを特徴とする。
【００２５】
本発明において、線処理部材は、ツメを本体部材の取付穴に係止した際に、突起がツメの掛り止まり寸法よりも高い寸法で本体部材に係合される。
これにより、ツメを係止解除する方向への移動を規制する。
従って、ツメに加えて設けられた突起により外れ防止を図って、線処理部材を本体部材に確実に取り付けることができる。
【００２６】
本発明に係る照明器具は、上記照明器具において、前記線処理部材は、透明部材により成形されていることを特徴とする。
【００２７】
本発明において、線処理部材は、内側に収容した電線を外部から目視できるようになっている。
これにより、収容されている電線の姿勢等を含む保護状態が簡単に確認される。
従って、電線を線処理部材から引き出すことなく、電線の断線等の点検を行うことができる。
【発明の効果】
【００２８】
本発明の照明器具によれば、取付ボルトの近傍に配置されて電線を保持するための長尺の線処理部材を備え、線処理部材は、電線の内側への挿入を容易にするための挿入部を有し、挿入部は内側へ挿入された電線を抜け止めるために、その開口部を電線の外径よりも小さく形成した。
これにより、線カミを防止することができるとともに軽量にすることができ、電線の抜け出しを防止することができるという効果を有する。
【図面の簡単な説明】
【００２９】
【図１】本発明に係る一実施形態の照明器具の斜め下方から視た分解斜視図
【図２】図１の照明器具に適用される線処理部材の斜め上方から視た外観斜視図
【図３】図２の線処理部材の斜め下方から視た外観斜視図
【図４】図２の線処理部材の正面図
【図５】図２の線処理部材の右側面図
【図６】図２の線処理部材の本体部材への取付前の斜め下方から視た外観斜視図
【図７】図２の線処理部材の本体部材への取付後の斜め下方から視た外観斜視図
【図８】図１の照明器具に適用される線処理部材の第１変形例の正面図
【図９】図１の照明器具に適用される線処理部材の第２変形例の正面図
【図１０】図１の照明器具に適用される線処理部材の第３変形例の正面図
【図１１】図１の照明器具に適用される線処理部材の第４変形例の正面図
【図１２】従来の照明器具の器具本体の底面図
【図１３】図１２の照明器具のソケット台の側面図
【発明を実施するための形態】
【００３０】
以下、本発明の一実施形態に係る照明器具について図面を参照して説明する。
【００３１】
図１に示すように、本発明の一実施形態である照明器具１０は、反射板１１と、反射板１１の内面に長手方向に配置される一対の直管状の蛍光ランプ１２，１２と、反射板１１の長手方向に配置された本体部材１３と、本体部材１３に取付けられた一対の反射板支持部材１４，１４と、本体部材１３に取り付けられた二対のソケット１５，１５，１５，１５と、本体部材１３に取り付けられた二対の線処理部材１６，１６，１６，１６とを備えて、不図示の天井面に取り付けられる。
【００３２】
反射板１１は、器具本体構成部品の一部を構成しており、比較的薄い金属製板部材を用いて成形されている。反射板１１は、天板１７と、対向配置された一対の短寸側板１８，１８と、同じく対向配置された一対の長寸側板１９，１９とを有して下方を開放している。
【００３３】
天板１７は、反射板支持部材１４に対応する位置に、丸穴の二対の反射板側反射板支持部材取付穴２０を有し、短寸側板１８寄りに二対のソケット挿入穴２１を有する。
【００３４】
本体部材１３は、器具本体構成部品の他の一部を構成し、反射板１１と同等の金属製板部材を用いて天板２２と、対向配置された一対の側板２３と、から垂直断面視コ字形状に形成されている。
【００３５】
本体部材１３は、天板２２の中央部下面に端子台２４を取り付けており、端子台２４の両側に一対ずつの取付ボルト穴２５，２５、２５，２５を有する。
【００３６】
本体部材１３は、端子台２４の近傍に引込穴２６を有し、取付ボルト穴２５の軸方向の外側に本体部材側反射板支持部材取付穴２７を有する。
【００３７】
本体部材１３は、天板２２における取付ボルト穴２５の一つの近傍に、一対のツメ取付穴（図６参照）２８と、一対のツメ取付穴２８の中央に配置された突起係合穴（図６参照）２９とを本体部材１３の軸方向に並べてそれぞれ有する。
【００３８】
本体部材１３は、その両端部にソケット支持部材３０をそれぞれ取り付けており、ソケット支持部材３０のそれぞれにソケット１５を２個ずつ取り付けている。ソケット１５はソケット支持部材３０の下方に向けて突出配置されている。
【００３９】
本体部材１３は、その両端部寄りに一対の反射板支持部材１４を取り付けている。反射板支持部材１４は、金属製や樹脂製であって略コ字形状の外形を有しており、水平に配置される基部３１の両端部に足部３２をそれぞれ接続している。
【００４０】
反射板支持部材１４は、その基部３１の側部に、反射板１１の天板１７に有する反射板側反射板支持部材取付穴２０に対応した取付穴３３をそれぞれ有し、その基部３１の中央部に、本体部材１３の本体部材側反射板支持部材取付穴２７に対応した取付穴３４をそれぞれ有する。
【００４１】
図２、図３、図４に示すように、線処理部材１６は、可撓性を有する透明（スケルトン）な樹脂材料を用いて長尺に形成されており、基部３５と、五対の肋骨部３６，３６，３６，３６，３６と、一対の挿入部３７，３７と、一対のツメ３８，３８と、突起３９とからなる。
【００４２】
基部３５は、所定の幅寸法および板厚寸法を有して板形状に形成されている。
【００４３】
肋骨部３６は、基部３５の板厚寸法に同等の外径寸法を有して略Ｃ字形状の軸形状に形成されている。
【００４４】
肋骨部３６は、基部３５の側部に一対ずつ配置され、これら肋骨部３６は基部３５の軸方向に予め定められた間隔を置いて、基端部を基部３５に接続し、先端部を挿入部３７にそれぞれ接続している。
【００４５】
このとき、一対ずつの肋骨部３６の間隔寸法（図５参照）Ｌ１は、本体部材１３の取付ボルト穴２５を使って固定を行う不図示のナットおよび座金板の外形寸法よりも十分に大きい。
これにより、万が一に、ナットおよび座金板が肋骨部３６の内側に落下したとしても、肋骨部３６に引っかからずに自然落下させて施工作業に支障を与えないようにすることができる。
【００４６】
挿入部３７は、軸形状に形成されており、肋骨部３６の先端部に接続されることにより基部３５に平行に配置される。一対の挿入部３７はそれらの間に開口部４０を形成しており、開口部４０の開口寸法Ｌ２は電線１の外径寸法Ｌ３よりも十分に小さい。
【００４７】
挿入部３７は、開口部４０を形成する表面を半径Ｒ１の曲率を有する曲面形状部４１をそれぞれ形成しており、開口部４０から肋骨部３６の内側に電線収容部４２を形成している。
【００４８】
図５に示すように、ツメ３８は、基部３５の軸方向外方を係止方向として基部３５の裏面に一対に形成されている。ツメ３８は本体部材１３のツメ取付穴２８に係止した際に基部３５からの掛り止まり寸法Ｌ４を設定している。
【００４９】
突起３９は、基部３５の裏面におけるツメ３８の中央部に円錐台形状に突出形成されている。突起３９の高さ寸法Ｌ５はツメ３８の掛り止まり寸法Ｌ４よりも大きく突出している。
【００５０】
次に、照明器具１０の組立手順について説明する。
【００５１】
まず、反射板支持部材１４の取付穴３４と本体部材１３の本体部材側反射板支持部材取付穴２７とに不図示のネジを挿通して両者をネジ止めする。
【００５２】
次に、ソケット１５を反射板１１の天板１７のソケット挿通穴２１に挿通しながら、反射板支持部材１４の取付穴３３と反射板１１の天板１７に有する反射板側反射板支持部材取付穴２０とに不図示のネジを挿通して両者をネジ止めする。
【００５３】
そして、反射板１１の下面に突出している二対のソケット１５に蛍光ランプ１２をそれぞれ装着する。
【００５４】
ここで、反射板支持部材１４と本体部材１３とをネジ止めする前に線処理部材１６の取り付けが行われる。
【００５５】
図６に示すように、線処理部材１６は、基部３５の裏面中央部の突起３９を反射板１１の天板１７の突起係合穴２９に係合させながら、基部３５の裏面の一対のツメ３８を反射板１１の天板１７のツメ取付穴２８にそれぞれ係止させる。線処理部材１６は挿入部３７を下方に向けて配置する。
【００５６】
このとき、ツメ３８は、ツメ取付穴２８に嵌入される際に弾性変形し、ツメ取付穴２８に嵌入してから弾性復元する。
これにより、突起係合穴２９に係合されている突起３９により基部３５の軸方向外方である係止方向への変位を規制されることにより抜け止めされて係止することになる。
【００５７】
図７に示すように、線処理部材１６は、天板２２の取付ボルト穴２５の近傍毎にそれぞれ取り付けられている。そして、端子台２４に一端部を接続し、ソケット１５に他端部を接続した電線１が本体部材１３の一方の側板２３に沿って引き回され、その電線１が挿入部３７を通じて肋骨部３６の内側に挿入される。
【００５８】
このとき、電線１は挿入部３７の曲面形状部４１に摺接しながら内側に挿入される。
これにより、挿入部３７の曲面形状部４１によりスムースに挿入部３７へ誘導されて挿入される。そして、内側に一旦挿入された電線１は挿入部３７の開口部４０の開口寸法Ｌ１が電線１の外径寸法Ｌ２よりも十分に小さいために抜け止めされて外部へ抜け出ることがない。
【００５９】
そして、反射板１１の取付ボルト穴２５を天井面の不図示の取付ボルトを挿入し、反射板１１の床面側において取付ボルトに座金板を挿通し、座金板を介して取付ボルトにナットをネジ込む。
【００６０】
反射板１１の取付ボルト穴２５に挿入した取付ボルトに座金板を介してナットをネジ込んだ際に、取付ボルト穴２５の近傍に配策されている電線１は線処理部材１６に保持されている。
これにより、線処理部材１６により、電線１を取付ボルトや座金やナットに接触させることがない。
【００６１】
以上説明してきたように、本発明の一実施形態の照明器具１０では、電線１を挿入保持する長尺の線処理部材１６は、取付ボルトの近傍に配置される。
これにより、電線１を取付ボルト穴２５の近辺を引き回したとしても、電線１を取付ボルトやナットに接触させることがない。
従って、線カミを防止することができる。
【００６２】
本発明の一実施形態の照明器具１０では、長尺の線処理部材１６は、樹脂材料を用いて作成されて、挿入部３７を通じて電線１を内側に挿入保持する。このとき、挿入部１の開口部４０は電線１の外径よりも小さく形成されている。
これにより、線処理部材１６は電線１を内側に容易に挿入して、挿入した電線１の抜け止めを図る。
従って、軽量にすることができるとともに電線１の抜け出しを防止することができる。
【００６３】
本発明の一実施形態の照明器具１０では、電線１は挿入部３７の曲面形状部４１に摺接しながら内側に挿入される。
これにより、挿入部が単純な直線形状になっているものと比較してスムースに挿入部３７へ誘導される。
従って、電線１の挿入部３７への挿入性を向上させることができる。
【００６４】
本発明の一実施形態の照明器具１０では、線処理部材１６は、ツメ３８を本体部材１３に有するツメ取付穴２８に係止することにより本体部材１３に固定される。
これにより、線処理部材１６は、取付ネジ等の取付手段を用いることなく取付けが行われる。
従って、線処理部材１６を、取付手段を有する簡単な構造にすることができる。
【００６５】
本発明の一実施形態の照明器具１０では、線処理部材１６は、ツメ３８を本体部材１３のツメ取付穴２８に係止した際に、突起３９がツメ３８の掛り止まり寸法よりも高い寸法で本体部材１３に係合される。
これにより、ツメ３８を係止解除する方向への移動を規制する。
従って、ツメ３８に加えて設けられた突起３９により外れ防止を図って、線処理部材１６を本体部材１３に確実に取り付けることができる。
【００６６】
本発明の一実施形態の照明器具１０では、線処理部材１６は、内側に収容した電線１を外部から目視できるようになっている。
これにより、収容されている電線１の姿勢等を含む保護状態が簡単に確認される。
従って、電線１を線処理部材１６から引き出すことなく、電線１の断線等の点検を行うことができる。
【００６７】
図８に示すように、照明器具１０に適用される第１変形例の線処理部材５１は、挿入部３７の裏面側に抜け止め部５２を設けている。
【００６８】
第１変形例によれば、万が一に、線処理部材５１の内側へ挿入されている電線１に挿入部３７へ向けて力が生じた場合、電線１は挿入部３７へ向けて変位する。
これにより、挿入部３７へ向けて変位した電線１は抜け止め部５２に当接する。
従って、抜け止め部５２に当接することにより、電線１は挿入部３７から抜け出すことがなく、電線１を内側に確実に保持することができる。
【００６９】
図９に示すように、照明器具１０に適用される第２変形例の線処理部材６１は、開口部４０を介して互い違いに配置された挿入部６２，６３を有する。
【００７０】
第２変形例によれば、電線１に挿入部６２，６３に向く力が作用したとしても、挿入部６２，６３が互い違いに積層されているために、電線１の抜け出しを防止することができる。
【００７１】
図１０に示すように、照明器具１０に適用される第３変形例の線処理部材７１は、交差した挿入部７２，７３を有する。
【００７２】
第３変形例によれば、電線１に挿入部７２，７３に向く力が作用したとしても、挿入部７２，７３が交差して配置されているために、電線１の抜け出しを防止することができる。
【００７３】
図１１に示すように、照明器具１０に適用される第４変形例の線処理部材８１は、挿入部３７の裏面側に肋骨部３６に向かって上がって傾斜した抜け止め部８２を設けている。
【００７４】
第４変形例によれば、電線１に挿入部３７へ向けて力が生じた場合、電線１は挿入部３７へ向けて変位していずれか１方の抜け止め部８２に摺接しながら開口部４０から離れる方向へ強制的に移動することにより、電線１の抜け出しを防止することができる。
【００７５】
なお、前記実施形態で使用した反射板１１、蛍光ランプ１２、本体部材１３、反射板支持部材１４、ソケット１５等は例示したものに限定するものではなく適宜変更が可能である。
【符号の説明】
【００７６】
１  電線
１０  照明器具
１１  反射板（器具本体構成部品）
１２  蛍光ランプ
１３  本体部材（器具本体構成部品）
１６、５１、６１、７１、８１  線処理部材
２８  ツメ取付穴（取付穴）
３７、６２、６３、７２、７３  挿入部
３８  ツメ
３９  突起
４０  開口部
５２、８２  抜け止め部
【図１】
0005484824.tif 000002
【図２】
0005484824.tif 000003
【図３】
0005484824.tif 000004
【図４】
0005484824.tif 000005
【図５】
0005484824.tif 000006
【図６】
0005484824.tif 000007
【図７】
0005484824.tif 000008
【図８】
0005484824.tif 000009
【図９】
0005484824.tif 000010
【図１０】
0005484824.tif 000011
【図１１】
0005484824.tif 000012
【図１２】
0005484824.tif 000013
【図１３】
0005484824.tif 000014